Podtech/llm-jp-corpus-v4-ja_patent huggingface dataset:
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
オルガノシラン重合体および溶媒または溶媒の混合物を含むレジスト下層膜加工用ハードマスク組成物であって、前記オルガノシラン重合体は、酸触媒の存在下で、式１、２、および３で表される化合物から調製される、レジスト下層膜加工用ハードマスク組成物：
【化１】
2010510541.tif 000001
式中、Ｘは、少なくとも１つの置換または非置換の芳香環を含むＣ６−Ｃ３０の官能基であり、Ｒ１はＣ１−Ｃ６のアルキル基である；
【化２】
2010510541.tif 000002
式中、Ｒ２はＣ１−Ｃ６のアルキル基であり、Ｒ３はＣ１−Ｃ１２のアルキル基である；
【化３】
2010510541.tif 000003
式中、Ｒ４およびＲ５はそれぞれ独立してＣ１−Ｃ６のアルキル基であり、Ｙは、芳香環、置換または非置換の、直鎖または分岐のＣ１−Ｃ２０のアルキレン基、骨格中に芳香環、複素環、ウレア基またはイソシアヌレート基を含むＣ１−Ｃ２０のアルキレン基、および少なくとも１つの多重結合を含むＣ２−Ｃ２０の炭化水素基からなる群から選択される連結基である。
【請求項２】
前記オルガノシラン重合体は、式４、５、および６で表される加水分解物の重縮合生成物である、請求項１に記載のハードマスク組成物：
【化４】
2010510541.tif 000004
式中、Ｘは、少なくとも１つの置換または非置換の芳香環を含むＣ６−Ｃ３０の官能基である；
【化５】
2010510541.tif 000005
式中、Ｒ３はＣ１−Ｃ１２のアルキル基である；
【化６】
2010510541.tif 000006
式中、Ｙは、芳香環、置換または非置換の、直鎖または分岐のＣ１−Ｃ２０のアルキレン基、骨格中に芳香環、複素環、ウレア基またはイソシアヌレート基を含むＣ１−Ｃ２０のアルキレン基、および少なくとも１つの多重結合を含むＣ２−Ｃ２０の炭化水素基からなる群から選択される連結基である。
【請求項３】
前記重縮合生成物は、式７で表される化合物である、請求項２に記載のハードマスク組成物：
【化７】
2010510541.tif 000007
式中、ｘ、ｙおよびｚは０．０５≦ｘ，ｙ≦０．９、０≦ｚ≦０．９およびｘ＋ｙ＋ｚ＝１の関係を満たし；ｎは１２〜２，０００であり；Ｘは、少なくとも１つの置換または非置換の芳香環を含むＣ６−Ｃ３０の官能基であり；Ｒ３はＣ１−Ｃ６のアルキル基であり；Ｙは、芳香環、置換または非置換の、直鎖または分岐のＣ１−Ｃ２０のアルキレン基、骨格中に芳香環、複素環、ウレア基またはイソシアヌレート基を含むＣ１−Ｃ２０のアルキレン基、および少なくとも１つの多重結合を含むＣ２−Ｃ２０の炭化水素基からなる群から選択される連結基である。
【請求項４】
前記オルガノシラン重合体は、式１、２、および３の化合物１００重量部に対して、式１の化合物０〜９０重量部、式２の化合物５〜９０重量部、および式３の化合物５〜９０重量部を混合し、混合物を０．００１〜５重量部の酸触媒存在下で１００〜９００重量部の反応溶媒中で反応させることによって調製される、請求項１〜３のいずれか１項に記載のハードマスク組成物。
【請求項５】
前記酸触媒は、硝酸、硫酸、塩酸、ｐ−トルエンスルホン酸一水和物、ジエチル硫酸、およびこれらの混合物からなる群から選択される、請求項１〜４のいずれか１項に記載のハードマスク組成物。
【請求項６】
前記オルガノシラン重合体は、前記ハードマスク組成物１００重量部に対して、１〜５０重量部の量で存在する、請求項１〜５のいずれか１項に記載のハードマスク組成物。
【請求項７】
架橋剤、ラジカル安定剤、および界面活性剤から選択される少なくとも１つの添加剤をさらに含む、請求項１〜６のいずれか１項に記載のハードマスク組成物。
【請求項８】
ｐ−トルエンスルホン酸ピリジニウム、アミドスルホベタイン−１６、（−）−カンファー−１０−スルホン酸アンモニウム塩、ギ酸アンモニウム、ギ酸トリエチルアンモニウム、ギ酸トリメチルアンモニウム、ギ酸テトラメチルアンモニウム、ギ酸ピリジニウム、ギ酸テトラブチルアンモニウム、硝酸テトラメチルアンモニウム、硝酸テトラブチルアンモニウム、酢酸テトラブチルアンモニウム、アジ化テトラブチルアンモニウム、安息香酸テトラブチルアンモニウム、重硫酸テトラブチルアンモニウム、臭化テトラブチルアンモニウム、塩化テトラブチルアンモニウム、シアン化テトラブチルアンモニウム、フッ化テトラブチルアンモニウム、ヨウ化テトラブチルアンモニウム、硫酸テトラブチルアンモニウム、亜硝酸テトラブチルアンモニウム、ｐ−トルエンスルホン酸テトラブチルアンモニウム、およびリン酸テトラブチルアンモニウムからなる群から選択される少なくとも１つの化合物をさらに含む、請求項１〜７のいずれか１項に記載のハードマスク組成物。
【請求項９】
架橋剤、ラジカル安定剤、および界面活性剤から選択される少なくとも１つの添加剤をさらに含む、請求項８に記載のハードマスク組成物。
【請求項１０】
半導体集積回路デバイスの製造方法であって、
（ａ）基板上に材料層を提供する段階；
（ｂ）前記材料層上に有機材料からなる第１ハードマスク層を形成する段階；
（ｃ）前記第１ハードマスク層上に請求項１〜９のいずれか１項に記載のハードマスク組成物を塗布して第２反射防止ハードマスク層を形成する段階；
（ｄ）前記第２反射防止ハードマスク層上に感光性画像形成層を形成する段階；
（ｅ）前記画像形成層をパターンに従って露光し、前記画像形成層内に露光領域のパターンを形成する段階；
（ｆ）前記感光性画像形成層および前記第２反射防止ハードマスク層の一部を選択的に除去し、前記第１ハードマスク層の一部を露出させる段階；
（ｇ）パターニングされた前記第２反射防止ハードマスク層および前記第１ハードマスク層の一部を選択的に除去し、前記材料層の一部を露出させる段階；および
（ｈ）前記材料層の露出部分をエッチングして前記材料層をパターニングする段階；
を含む、方法。
【請求項１１】
段階（ｄ）の前に、前記第２反射防止ハードマスク層上にさらなる反射防止コーティングを形成する段階をさらに含む、請求項１０に記載の方法。
【請求項１２】
請求項１０または１１に記載の方法によって製造された、半導体集積回路デバイス。
【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
直接照明されるディスプレイユニットであって、
ディスプレイパネルと、
前記ディスプレイパネルの背後に設けられ、照明光を発生することが可能な１つ以上の光源と、
前記１つ以上の光源と前記ディスプレイパネルとの間に設けられた拡散体と、
前記１つ以上の光源と前記拡散体との間に設けられた光方向転換層であって、前記光方向転換層が、前記拡散体に面する前記光方向転換層の第１の側面に設けられた光方向転換要素を備え、前記光方向転換要素が、前記光方向転換層への垂線に対して１つを超える角度で設けられた表面を有し、表面の傾きの１つ以上の急な変化を更に有し、前記１つ以上の光源の第１の光源から前記光方向転換層に非垂直に入射する前記光の少なくとも一部が、前記光方向転換要素から実質的に垂直な方向に出現し、前記垂直に出現する光の横方向範囲が、前記光方向転換要素の前記表面が前記光方向転換層の垂線に対して単一の角度で設けられる場合と比べてより大きい光方向転換層と、を備えるユニット。
【請求項２】
直接照明されるディスプレイユニットであって、
ディスプレイパネルと、
前記ディスプレイパネルの背後に設けられ、照明光を発生することが可能な１つ以上の光源と、
前記１つ以上の光源と前記ディスプレイパネルとの間に設けられた拡散体と、
前記１つ以上の光源と前記拡散体との間に設けられた光方向転換層であって、前記光方向転換層が、前記拡散体に面する前記光方向転換層の第１の側面に設けられた光方向転換要素を備え、前記光方向転換要素が、複数の構造化要素を備え、第１の前記構造化要素が第１の頂角を有し、第２の前記構造化要素が、前記第１の頂角とは異なる第２の頂角を有する光方向転換層と、を備えるユニット。
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
特定の細菌の検体特性を捕捉する方法であって、
特定の細菌の１つ以上の検体特性を備える標的全細胞を含むと推測される試料を提供する工程と、
特定の細菌の２つ以上の異なる検体特性に対する抗原特異性を有する２つ以上の抗体を提供する工程であって、前記抗体が、少なくとも１つのモノクローナル抗体を備える工程と、
固体支持材料を提供する工程と、
存在する場合、特定の細菌の１つ以上の検体特性で標的全細胞を捕捉するのに有効な条件下で、試料、固体支持材料、及び２つ以上の抗体間の接触を提供する工程とを含む、方法。
【請求項２】
細菌について試料を分析する方法であって、
特定の細菌の１つ以上の検体特性を含むと推測される試料を提供する工程と、
特定の細菌の２つ以上の異なる検体特性に対する抗原特異性を有する２つ以上の固定化された抗体を提供する工程と、
特定の細菌の２つ以上の異なる検体特性に対する抗原特異性を有する２つ以上の標識された抗体を提供する工程であって、前記抗体は直接又は間接酵素標識で標識される工程と、
試料、固定化された抗体、及び標識された抗体との間の接触を提供し、前記標識された抗体と前記不動化された抗体との間に１つ以上の検体を結合する工程であって、
存在する検体のそれぞれに対し、前記固定化された抗体及び前記標識された抗体が、２つ以上の抗体結合対を備える工程と、
特定の細菌の有無を分析する工程とを含む、方法。
【請求項３】
細菌について試料を分析する方法であって、
特定の細菌の１つ以上の検体を含むと推測される試料を提供する工程と、
特定の細菌の２つ以上の異なる抗体特性に対して抗原特異性を有する２つ以上の粒子−抗体複合体を提供する工程と、
特定の細菌の２つ以上の異なる検体特性に対し、抗原特異性を有する２つ以上の固定化された抗体を含む、検出表面を備える音弾性機械的センサを備えるシステムを提供する工程と、
試料、音弾性機械的センサの検出表面上の固定化された抗体、及び粒子−抗体複合体との間の接触を提供し、前記粒子−抗体複合体及び前記固定化された抗体との間に１つ以上の検体を結合する工程であって、
存在する検体のそれぞれに対し、前記固定化された抗体及び前記粒子−抗体複合体が、２つ以上の抗原結合対を含む工程と、
特定の細菌の有無を分析する工程とを含む、方法。
【請求項４】
検体結合材料であって、
固体支持材料と、
前記固体支持材料上に配置された、抗体ＭＡｂ−７６、ＭＡｂ−１０７、アフィニティー精製ＲｘＣｌｆ４０、アフィニティー精製ＧｘＣｌｆ４０、ＭＡｂ１２−９、これらのフラグメント、又はこれらの組合せと、
任意に検出可能なマーカーとを含む、検体結合材料。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
試料流路と、
試料捕捉構成要素を包含する領域であって、前記試料捕捉構成要素が前記試料捕捉領域の中に２種以上の抗体の混合物を含み、前記２種以上の抗体が２種以上の別個の標的検体に対して抗原特異性を有する領域と、
前記試料捕捉領域の前方にある前記試料流路の１つ以上の別個の領域の中に配置される試料調製のための１種以上の試薬と、
所望により、前記試料捕捉領域の前方にある前記試料流路の別個の領域の中に配置され、前記１種以上の試料調製試薬とは異なる微粒子検体結合物質と、を含む、装置。
【請求項２】
試料調製及び標的検体の分析のための装置であって、前記装置が、
試料流路と、
前記試料流路の１つ以上の別個の領域の中に配置される試料調製のための１種以上の試薬と、
微粒子物質と１種以上の別個の標的検体に対して特異的な１種以上の抗体とを含む検体結合物質を包含する領域であって、前記試料調製試薬の少なくとも１種の下流にある前記試料流路の中に配置される領域と、
１種以上の別個の標的検体に対して特異的な１種以上の抗体を含む試料捕捉構成要素を包含する領域と、を含み、前記試料捕捉領域及び検体結合物質を含む領域の前記抗体が同一又は異なる特異性を有する、装置。
【請求項３】
検体の存在又は不在を検出するための装置であって、前記装置が、
流路、貫流膜、及び前記貫流膜内又は前記貫流膜上に画定される試料捕捉領域を包含する本体を含み、
前記試料捕捉領域が、前記貫流膜に化学的に結合される２種以上の抗体の混合物を含む試料捕捉構成要素を含み、
前記２種以上の抗体が、２種以上の別個の標的検体に対して抗原特異性を有する、装置。
【請求項４】
検体の存在又は不在を検出するための装置であって、前記装置が、
流路と複層構造を形成する複数の層とを包含する本体であって、
前記流路が、第１層と第２層との間に形成される第１流れ通過部分及び第２流れ通過部分により画定される、本体と、
前記第１層と前記第２層との間の試料捕捉領域の中に配置される試料捕捉構成要素と、を含み、前記試料捕捉構成要素が、１種以上の別個の標的検体に対して抗原特異性を有する１種以上の抗体を含む、装置。
【請求項５】
検体の存在又は不在について試料を調製及び分析する方法であって、前記方法が、
１種以上の標的検体を含有することが疑われる試験試料を提供する工程と、
請求項１〜２のいずれか一項に記載の装置を提供する工程であり、前記装置が試料捕捉領域の中の試料捕捉構成要素、及び１種以上の試料調製試薬を含む工程と、
第１流路部分から前記試料捕捉構成要素の下流にある第２流路部分に試験試料の流れを誘導する工程と、
前記第１流路部分の中に前記試験試料と前記試料調製試薬の少なくとも１種との間の反応に有効な条件を提供する工程と、
検体及び／又は検体が付着した微粒子検体結合物質を前記試料捕捉構成要素に結合させて検出可能な信号を生成するために有効な条件下で前記試験試料を前記試料捕捉構成要素に曝露する工程と、
前記検出可能な信号の存在又は不在について前記試料捕捉領域を評価する工程と、を含む、方法。
【請求項６】
検体の存在又は不在を検出する方法であって、前記方法が、
１種以上の標的検体を含有することが疑われる試験試料を提供する工程と、
請求項３〜４のいずれか一項に記載の装置を提供する工程であり、前記装置が試料捕捉領域の中に試料捕捉構成要素を含む工程と、
第１流路部分から前記試料捕捉構成要素の下流にある第２流路部分に試験試料の流れを誘導する工程と、
検体及び／又は検体が付着した微粒子検体結合物質を前記試料捕捉構成要素に結合させて検出可能な信号を生成するために有効な条件下で前記試験試料を前記試料捕捉構成要素に曝露する工程と、
前記検出可能な信号の存在又は不在について前記試料捕捉領域を評価する工程と、を含む、方法。
【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
細菌の試料を分析する方法であって、
特定の細菌の１つ以上の検体の特徴を含む疑いがある試料を提供する工程と、
前記特定の細菌の２つ以上の異なる検体の特徴に対して抗原特異性を有する２つ以上の抗体を含む検体結合部材を提供する工程と、
試料捕獲領域を含む免疫クロマトグラフィーデバイスを提供する工程であって、前記試料捕獲領域が前記特定の細菌の２つ以上の異なる検体の特徴に対して抗原特異性を有する２つ以上の抗体の混合物を含む工程と、
試料、前記検体結合部材、及び前記免疫クロマトグラフィーデバイスの試料捕獲領域を接触させる工程であって、
存在する検体毎に、前記試料捕獲領域内の抗体の抗原特異性の少なくとも１つは、その検体が結合した状態で、異なる抗原特異性を有する検体結合部材によりそれらの検体に結合することが機能上ブロックされない工程と、
前記特定の細菌の有無を分析する工程とを含む方法。
【請求項２】
試料を提供する工程が、
粘液含有試料の１つ以上の成分と第１試薬の間の反応に十分な条件下で粘液含有試料を第１試薬と接触させ組成物を形成する工程であって、第１試薬が３未満のｐＨを有する酸性化された還元剤を含む工程と、
前記組成物内の前記還元剤を不活性にする工程と、
前記組成物のｐＨを７〜７．５のｐＨに中和する工程とを含む、請求項１に記載の方法。
【請求項３】
試料流路と、
前記試料流路内部の多孔質物質上又は内に形成された試料捕獲領域であって、ＭＡｂ−７６、ＭＡｂ−１０７、アフィニティー精製ＲｘＣｌｆ４０、及びそれらの組合わせからなる群から選択される抗体を含む試料捕獲領域とを含む、免疫クロマトグラフィーデバイス。
【請求項４】
微生物を含有する疑いがある粘液試験試料を酵素溶菌剤と組合わせる工程と、
続いて前記試料及び酵素溶菌剤を前記酵素溶菌剤とは異なる粘液溶解剤と組合わせて粘液試験試料を形成する工程とを含む、粘液試験試料を調製する方法。
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
データ処理装置及びシステム記憶装置を含む販促サービスプロバイダシステムを用いる、消費者情報を収集するための方法であって、
前記販促サービスプロバイダシステムにおいて、第１消費者に関連するデバイス識別子を有し、テキストメッセージサービスを提供することができる移動電話を含む携帯通信デバイスから、前記デバイス識別子、及び、一又はそれより多くの商品又はサービスを広告する販促サービスの一部として無料で消費者に提供される販促アイテムを識別する販促アイテムコードを含む第１メッセージを受け取る段階と、
前記販促サービスプロバイダシステムにおいて、前記システム記憶装置に格納される情報に基づいて、前記販促アイテムコードに対応する販促サービスに対して、前記第１メッセージ内の前記デバイス識別子が登録されていないことを決定し、前記第１メッセージに応答して、前記第１消費者に、前記移動電話の前記テキストメッセージサービスを介して、前記販促アイテムを配送するために前記第１消費者の配送住所情報を提供させることを要求する第２メッセージを前記携帯通信デバイスに送信する段階と、
前記第２メッセージに応答し、前記第１消費者の住所情報を記載するテキストを含む第３メッセージを、前記移動電話の前記テキストメッセージサービスを介して、前記第１消費者から受け取る段階と、
前記第３メッセージの前記テキストを解析して、前記第１消費者の前記配送住所情報を決定する段階と、
前記販促サービスを伴う、登録の取り消しについて、情報を前記携帯通信デバイスに送信する段階と、
を含む方法。
【請求項２】
前記第３メッセージから決定される前記配送メッセージが、郵便先住所に対応するかを検証する段階を更に含む請求項１に記載の方法。
【請求項３】
前記第１消費者に前記販促アイテムを配送するための配送サービスに前記配送住所情報を送信する段階を更に含む請求項１に記載の方法。
【請求項４】
前記システム記憶装置に、前記デバイス識別子に関連して前記配送住所情報を保存する段階を更に含む請求項１に記載の方法。
【請求項５】
前記テキストメッセージサービスは、ショートメッセージサービス（ＳＭＳ）及びＳＭＳテキストサービスを含む前記第１メッセージ、前記第２メッセージ及び前記第３メッセージの各々を含む請求項１に記載の方法。
【請求項６】
前記販促サービスに対して前記デバイス識別子が登録されている場合には、前記システム記憶装置から前記登録済みデバイス識別子に関連付けられた予め記憶された配送住所情報を取り出す段階と、
取り出した前記配送住所情報を、前記第１消費者に前記販促アイテムを配送するための配送サービスに送信する段階と、を更に含む請求項１に記載の方法。
【請求項７】
前記携帯通信デバイスがハンドヘルドデバイスである請求項１に記載の方法。
【請求項８】
前記デバイス識別子が、前記移動電話に関連付けられた電話番号を含む請求項１に記載の方法。
【請求項９】
前記第１メッセージが画像情報を含み、
前記方法が更に、前記画像情報から前記販促アイテムコードを識別する段階を含む請求項１に記載の方法。
【請求項１０】
前記第１メッセージがオーディオ情報を含み、
前記方法が更に、前記オーディオ情報から前記販促アイテムコードを識別する段階を含む請求項１に記載の方法。
【請求項１１】
前記販促アイテムが物理オブジェクトを含む請求項１に記載の方法。
【請求項１２】
前記携帯デバイスに対して確認情報を送信する段階を更に含む請求項１に記載の方法。
【請求項１３】
第１消費者に関連するデバイス識別子を有する携帯通信デバイスであって、
販促サービスプロバイダによって、一又はそれより多くの商品又はサービスを広告する販促サービスの一部として無料で消費者に提供される販促アイテムを識別する販促アイテムコードを含む情報をキャプチャする回路を含む情報キャプチャモジュールと、
キャプチャされた前記情報から前記販促アイテムコードを識別し、該販促アイテムコードに基づいて前記販促サービスプロバイダを識別する回路を含む情報処理モジュールと、
テキストメッセージサービスを提供することができる移動電話を含む通信モジュールであって、
前記デバイス識別子及び前記販促アイテムコードを前記販促サービスプロバイダに送信し、
送信された前記販促アイテムコードに応答して、前記販促サービスプロバイダから、前記第１消費者に前記移動電話のテキストメッセージサービスを介して、前記販促射アイテムを配送するための前記第１消費者の配送住所情報を提供するように要求するメッセージを受け取り、
前記要求に応答して、前記販促サービスプロバイダに前記移動電話の前記テキストメッセージサービスを介して、前記第１消費者の前記配送住所情報を記載するテキストメッセージを送信する通信モジュールと、
を備える携帯通信デバイス。
【請求項１４】
前記情報キャプチャモジュールは、ユーザ入力を受け取るためのキーボードを含み、前記情報処理モジュールは、前記キーボードによって受け取られた前記ユーザ入力から販促アイテムコードを識別する請求項１３に記載のデバイス。
【請求項１５】
前記情報キャプチャモジュールは、画像情報をキャプチャする画像キャプチャ構成要素を含み、前記情報処理モジュールは、キャプチャされた前記画像情報内の販促アイテムコードを識別する請求項１３に記載のデバイス。
【請求項１６】
前記情報キャプチャモジュールは、オーディオ情報をキャプチャするオーディオキャプチャ構成要素を含み、前記情報処理モジュールは、キャプチャされた前記オーディオ情報内の販促アイテムコードを識別する請求項１３に記載のデバイス。
【請求項１７】
前記情報キャプチャモジュールがバーコードリーダを含む請求項１３に記載のデバイス。
【請求項１８】
前記情報キャプチャモジュールがＲＦＩＤリーダを含む請求項１３に記載のデバイス。
【請求項１９】
前記テキストメッセージサービスは、ショートメッセージサービス（ＳＭＳ）を含み、前記通信モジュールは、ＳＭＳテキストメッセージにおいて、識別された前記販促アイテムコードを送信する請求項１３に記載のデバイス。
【請求項２０】
前記デバイス識別子が、前記移動電話に関連付けられた電話番号を含む請求項１３に記載のデバイス。
【手続補正書】
【提出日】平成22年11月9日(2010.11.9)
【手続補正１】
【補正対象書類名】明細書
【補正対象項目名】００６２
【補正方法】変更
【補正の内容】
【００６２】
【表８】
2010510158.tif 000001
従って、上述した目的および利点を完全に満たす、防汚性非粘着性の被覆物品が本発明によって提供されたことは明らかである。本発明はその特定の実施形態と共に記載されたが、多くの代替物、改良、および変形が当業者には明白であることは明らかである。したがって、添付の特許請求の範囲の趣旨および広い範囲に含まれる全てのかかる代替物、改良、および変形を包含することが意図される。
【手続補正２】
【補正対象書類名】明細書
【補正対象項目名】００６３
【補正方法】変更
【補正の内容】
【００６３】
以上、本発明を要約すると下記のとおりである。
１．ａ）表面を有するガラス基材、ならびに
ｂ）上記基材の表面に付着している防汚性非粘着性コーティング（ここで、該非粘着性コーティングが、
ｉ）フルオロポリマーとコロイドシリカとを含むベースコート、および
ｉｉ）無機充填剤フィルム硬化剤を含有する１つまたはそれ以上のポリマー層を含むオ
ーバーコートとを含む）
を含む被覆物品。
２．無機充填剤フィルム硬化剤がセラミック粒子である、上記１に記載の被覆物品。
３．被覆物品が調理用具である、上記１に記載の被覆物品。
４．ベースコートがシリコーン樹脂をさらに含む、上記１に記載の被覆物品。
５．セラミック粒子が１２００より大きいヌープ硬度を有することを含む、上記２に記載の被覆物品。
６．セラミック粒子が１０マイクロメートルより大きい平均粒度を有することを含む、上記２に記載の被覆物品。
７．セラミック粒子が炭化ケイ素を含む、上記２に記載の被覆物品。
８．ベースコートが８ミクロンまでの乾燥フィルム厚さを有する、上記１に記載の被覆物品。
９．オーバーコートがプライマー層と、任意選択的に、１つまたはそれ以上の中間層とトップコートとを含む、上記２に記載の被覆物品。
１０．オーバーコートを構成する層の１つまたはそれ以上がセラミック粒子を含有する、上記９に記載の被覆物品。
１１．ガラス基材がホウケイ酸ガラスである、上記１に記載の被覆物品。
１２．ガラス基材が、ベースコートを適用する前に粗面化される、上記１に記載の被覆物品。
１３．ガラス基材が、２ミクロンより大きい平均粗さを有する、上記１２に記載の被覆物品。
１４．ガラス基材が、グリットブラスチングによって粗面化される、上記１３に記載の被覆物品。
１５．オーバーコートが、フルオロポリマーを含む少なくとも１つのポリマー層を含む、上記１に記載の被覆物品。
１６．プライマーがフルオロポリマーを含む、上記９に記載の被覆物品。
１７．１つまたはそれ以上の中間層がフルオロポリマーを含む、上記９に記載の被覆物品。
１８．オーバーコートがポリマーバインダーをさらに含む、上記９に記載の被覆物品。
１９．プライマーがポリマーバインダーをさらに含む、上記１６に記載の被覆物品。
２０．１つまたはそれ以上の中間層がポリマーバインダーをさらに含む、上記１７に記載の被覆物品。
２１．被覆物品が、加速ローストチキン試験に合格するのに十分な防汚性を有する、上記１８に記載の被覆物品。
２２．被覆物品が、１００サイクルの食器洗浄機付着性試験に合格する、上記１に記載の被覆物品。
【手続補正３】
【補正対象書類名】特許請求の範囲
【補正対象項目名】全文
【補正方法】変更
【補正の内容】
【特許請求の範囲】
【請求項１】
ａ）表面を有するガラス基材、ならびに
ｂ）上記基材の表面に付着している防汚性非粘着性コーティング（ここで、該非粘着性コーティングが、
ｉ）フルオロポリマーとコロイドシリカとを含むベースコート、および
ii）無機充填剤フィルム硬化剤を含有する１つまたはそれ以上のポリマー層を含むオーバーコートとを含む）
を含む被覆物品。
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
印刷機及び光学的可変画像形成手段を含む（機密保護）製品を形成する装置であって、光学的可変画像形成手段が、
ａ）透明な石英シリンダーと、
ｂ）透明なポリカーボネートローラーと、
ｃ）ポリカーボネートローラーの表面に取り付けられている、適用される光学的可変画像を運ぶ透明なプラスチック材料と、ここで
ｄ）透明シリンダー内に配置されているワニスを乾燥又は硬化する手段と
を含むか、又は
ａ）透明なポリエステルベルトと
ｂ）ポリエステルベルトの表面に取り付けられている、適用される光学的可変画像を運ぶ透明なプラスチック材料と、
ｃ）透明シリンダー内に配置されているワニスを乾燥又は硬化する手段と
を含む装置。
【請求項２】
透明シリンダー内に配置されているワニスを乾燥又は硬化する手段が、ＵＶランプである、請求項１記載の装置。
【請求項３】
透明な石英シリンダーが、水冷式石英シリンダー並びに内部に取り付けられたＵＶランプを有する石英管、冷却された駆動ローラー及びホログラフ画像を含有するシリコーン−ポリエステルベルトを含むベルト系である、請求項１又は２記載の装置。
【請求項４】
印刷機が、供給系；印刷される画像を運ぶ手段；インクを適用する手段；インクを乾燥又は硬化する手段；印刷された機密保護製品を運ぶ手段のうちのいずれかの１つ以上を含む、請求項１記載の装置。
【請求項５】
印刷機が、光学的可変画像を基材に転写する光学的可変画像形成手段をインライン式で含む、請求項１〜４のいずれか１項記載の装置。
【請求項６】
光学的可変画像を基材に形成する方法であって、
Ａ）硬化性化合物又は組成物を基材の少なくとも一部に適用する工程；
Ｂ）硬化性化合物の少なくとも一部を光学的可変画像形成手段に接触させる工程；
Ｃ）硬化性化合物を硬化する工程；及び
Ｄ）場合により、金属インクを硬化化合物の少なくとも一部に付着させる工程
を含み、ここで
光学的可変画像形成手段が、
ａ）透明な石英シリンダーと、
ｂ）透明なポリカーボネートローラーと、
ｃ）ポリカーボネートローラーの表面に取り付けられている、適用される光学的可変画像を運ぶ透明なプラスチック材料と、ここで
ｄ）透明シリンダー内に配置されているワニスを乾燥又は硬化する手段と
を含むか、又は
ａ）透明なポリエステルベルトと
ｂ）ポリエステルベルトの表面に取り付けられている、適用される光学的可変画像を運ぶ透明なプラスチック材料と、
ｃ）透明シリンダー内に配置されているワニスを乾燥又は硬化する手段と
を含む方法。
【請求項７】
透明シリンダー内に配置されているワニスを乾燥又は硬化する手段が、ＵＶランプである、請求項６記載の方法。
【請求項８】
光学的可変画像を彩色又は金属インクの少なくとも一部の上に形成する前に、彩色又は金属インクを基材の上に付着させ、その上に光学的可変画像を形成する、請求項６又は７に記載の方法。
【請求項９】
基材が非透明（不透明）シート材料である、請求項６、７又は８のいずれか１項記載の方法。
【請求項１０】
硬化性組成物がラッカーである、請求項６記載の方法。
【請求項１１】
硬化性組成物がグラビア又はフレキソ印刷により付着される、請求項１０記載の方法。
【請求項１２】
硬化性ラッカーを紫外（ＵＶ）光線又は電子ビームで硬化することができる、請求項１０又は１１記載の方法。
【請求項１３】
金属インクが、アルミニウム、ステンレススチール、ニクロム、金、銀、白金及び銅を含む群から選択されるいずれかの１つ以上を含む、請求項６記載の方法。
【請求項１４】
ＵＶラッカーが、エポキシアクリレート、１つ又は幾つかのアクリレート（単官能及び多官能）、１つ又は幾つかの光開始剤及び均展剤を含む、請求項６記載の方法。
【請求項１５】
ａ）透明な石英シリンダーと、
ｂ）透明なポリカーボネートローラーと、
ｃ）ポリカーボネートローラーの表面に取り付けられている、適用される光学的可変画像を運ぶ透明なプラスチック材料と、ここで
ｄ）透明シリンダー内に配置されているワニスを乾燥又は硬化する手段と
を含むか、又は
ａ）透明なポリエステルベルトと
ｂ）ポリエステルベルトの表面に取り付けられている、適用される光学的可変画像を運ぶ透明なプラスチック材料と、
ｃ）透明シリンダー内に配置されているワニスを乾燥又は硬化する手段と
を含む光学的可変画像形成手段。
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
ジオールのモノ−トシル化のための触媒的方法における、２モル％〜０．０００５モル％の濃度での式（Ｉｃ）
【化１】
2010510185.tif 000001
［式中、ＹはＣ1-6アルキル、フェニル及びベンジルの群から選ばれる］
の総称的アセタールの使用。
【請求項２】
式（Ｉｃ）の総称的アセタールの濃度が０．１モル％〜０．００５モル％である請求項１に記載の使用。
【請求項３】
式（Ｉｃ）の総称的アセタールが２，２−ジブチル−［１，３，２］ジオキサスタンノランである請求項２に記載の使用。
【請求項４】
ジオールが少なくとも２個そして最高で３個の炭素原子により隔てられた少なくとも２個のヒドロキシ基を含んでなる部分である請求項１〜３のいずれかに記載の使用。
【請求項５】
請求項１において定義した式（Ｉｃ）の化合物を２モル％〜０．０００５モル％の濃度で用いて、式（Ｉａ）のジオール部分を含んでなる化合物を式（Ｉｂ）のトシル化ジオール部分を含んでなる化合物にトシル化する
【化２】
2010510185.tif 000002
［式中、
ＸはＣｌ、Ｂｒ及びＯＴｓの群から選ばれ；そして
ｎは１又は２に等しい整数である］
段階を含んでなるジオールの触媒的モノ−トシル化法。
【請求項６】
式（Ｉｃ）の化合物の濃度が０．１モル％〜０．００５モル％である請求項５に記載の方法。
【請求項７】
式（Ｉｃ）の化合物が２，２−ジブチル−［１，３，２］ジオキサスタンノランである請求項６に記載の方法。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
非平面の外面（２０）を有すると共にインクの液滴（３０）により形成されたデジタル画像を備えた容器を有してなり、
前記インクの液滴（３０）が直径１０から２００ミクロンで変化し、および
前記インクの液滴がインチ当たり２００から１２００滴で分布している、プラスチック容器。
【請求項２】
前記インクの液滴（３０）が直径３０から９０ミクロンで変化する、請求項１記載の容器。
【請求項３】
前記インクの液滴（３０）がインチ当たり３００滴から１２００滴で分布している、請求項１記載の容器。
【請求項４】
前記インクの液滴（３０）が容器の表面に広がると共に、液滴（３０）の一部が隣接する液滴（３２）と重なる、請求項１記載の容器。
【請求項５】
前記インクの液滴（３０）が格子パターンで設けられる、請求項１記載の容器。
【請求項６】
格子パターンが計算または予測される液滴の分散配置の態様により規定される、請求項５記載の容器。
【請求項７】
インクの液滴（３０ａ、３０ｂ）の端（３６、３８）の角度が約５から約２５度である、請求項１記載の容器。
【請求項８】
インクの液滴（３０ａ、３０ｂ）の端（３６、３８）の角度が約１２から約１５度である、請求項１記載の容器。
【請求項９】
デジタル画像が多色を有している、請求項１記載の容器。
【請求項１０】
インクの液滴（３０）の隣接する部分が重なって１以上のプロセスカラーを提供している、請求項１記載の容器。
【請求項１１】
インクの液滴（３０）の少なくとも一部がＵＶ硬化性である、請求項１記載の容器。
【請求項１２】
インクの液滴（３０）が容器の表面に予め定められた画像を規定する、請求項１記載の容器。
【請求項１３】
個々のインクの液滴（３０）が直径が変化するものである、請求項１記載の容器。
【請求項１４】
容器がベースコートを含んでいる、請求項１記載の容器。
【請求項１５】
ベースコートがデジタル的に印刷されたベースコートである、請求項１４記載の容器。
【請求項１６】
デジタル画像がベースコートの少なくとも一部の上に印刷される、請求項１４記載の容器。
【請求項１７】
全部のデジタル画像がベースコートの上に印刷される、請求項１６記載の容器。
【請求項１８】
ベースコートの一部がデジタル画像の一部を形成する、請求項１６記載の容器。
【請求項１９】
容器の表面の一部が、デジタル画像の一部を形成する色の一部を提供する、請求項１記載の容器。
【請求項２０】
容器の外側の表面が曲がった外側の表面（２０）である、請求項１記載の容器。
【請求項２１】
プラスチック容器（１０）にデジタル画像を印刷するための方法であって、
曲がった外側の表面（２０）を有する中空のプラスチック容器（１０）を用意するステップと、
容器（１０）をトラックに沿って移動させインクの液滴（３０）を提供する複数の移動可能な印刷ヘッド（６０）を有するデジタル印刷位置（５０）を通過させるステップであって、インクの液滴が１０ミクロンから２００ミクロンの直径を有すると共にインクの液滴がインチ当たり２００滴から１２００滴で分布しているステップと、
前記インクの液滴（３０）を前記容器の表面（２０）に塗布することで容器の曲がった表面（２０）にデジタル画像を印刷するステップと、を有してなり、
印刷するステップの間において、印刷ヘッド（６０）は、インクを分配する印刷ヘッドの一部と印刷される容器の表面（２０）との間の距離を実質的に一定距離に維持するように移動される方法。
【請求項２２】
容器が移動している間に容器の表面（２０）にインクの液滴（３０）が塗布される、請求項２１記載の方法。
【請求項２３】
複数の容器（１０）が連続して設けられている、請求項２１記載の方法。
【請求項２４】
容器がデジタル印刷位置を過ぎて移動する前に容器の表面をスキャンする、請求項２１記載の方法。
【請求項２５】
スキャンが容器の表面データを作成するものであり、容器の表面データは印刷ヘッド（６０）に伝達され、、および伝達されたデータの少なくとも一部が、印刷ヘッド（６０）の一部と印刷される容器の表面（２０）との間の距離を制御するために使用される、請求項２４記載の方法。
【請求項２６】
容器の表面データが表面の曲率データを含む、請求項２５記載の方法。
【請求項２７】
印刷するプロセスの間において、印刷ヘッド（６０）は、インクを分配する印刷ヘッドの一部と印刷される容器の表面（２０）との間のスタンドオフ距離（ＳＤ）を１ｍｍ±０．３ｍｍに維持するように移動される、請求項２１記載の方法。
【請求項２８】
インクは印刷ヘッド（６０）内においてインクの液滴（３０）の塗布のために約４０℃から約５０℃の温度に維持される、請求項２１記載の方法。
【請求項２９】
容器の表面（２０）がレーザスキャン（８０）によりスキャンされる、請求項２１記載の方法。
【請求項３０】
容器（１０）が一定の速度（Ｖ）で移動する、請求項２１記載の方法。
【請求項３１】
容器（１０）が一定ではない速度で移動し、容器（１０）の速度（Ｖ）が計測され且つ印刷ヘッド（６０）に伝達され、および印刷ヘッド（６０）の動作およびインクの液滴（３０）の塗布が計測された速度（Ｖ）に対して調整される、請求項２１記載の方法。
【請求項３２】
印刷されたデジタル画像が印刷後に硬化される、請求項２１記載の方法。
【請求項３３】
前記画像がＵＶ硬化性インクにより印刷される、請求項３２記載の方法。
【請求項３４】
印刷された画像がＵＶ光により硬化される、請求項３３記載の方法。
【請求項３５】
前記画像が、インクの液滴（３０）が容器の表面（２０）に接触した後の０．５秒から５秒で硬化される、請求項３２記載の方法。
【請求項３６】
インクの液滴（３０）が容器の表面（２０）上に広がり、およびインクの液滴の少なくとも一部が隣接する液滴（３２）と重なる、請求項２１記載の方法。
【請求項３７】
インクの液滴の端の角度（９２ａ）が約５から約２５度で分布している、請求項２１記載の方法。
【請求項３８】
インクの液滴の端の角度（９２ａ）が約１２から約１５度で分布している、請求項２１記載の方法。
【請求項３９】
デジタル画像が多色を有している、請求項２１記載の方法。
【請求項４０】
個々のインクの液滴（３０）が直径が変化している、請求項２１記載の方法。
【請求項４１】
容器（１０）上にベースコート（９０）を塗布するステップを含む、請求項２１記載の方法。
【請求項４２】
デジタル画像がベースコート（９０）の少なくとも一部の上に設けられる、請求項４１記載の方法。
【請求項４３】
ベースコート（９０）が容器（１０）上に印刷される、請求項４１記載の方法。
【請求項４４】
ベースコート（９０）を塗布するために容器（１０）に前処理を施す、請求項４１記載の方法。
【請求項４５】
印刷の後にデジタル画像をスキャンしてデジタル画像が設定された基準を満たするかどうかを決定することを含む、請求項２１記載の方法。
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
ごみを包むための袋織りを貯蔵するための、ごみ貯蔵機器におけるごみ貯蔵カセットであって、
使用の際、袋織りが通過する開口部を画定する外壁および内壁を有し、
前記ごみ貯蔵カセットは、前記外壁から前記内壁に向かって少なくとも部分的に延在する複数の突起をさらに具備する、ごみ貯蔵機器におけるごみ貯蔵カセット。
【請求項２】
前記内壁と前記外壁は、前記袋織りを貯蔵するためのハウジングを形成する請求項１に記載のごみ貯蔵カセット。
【請求項３】
前記複数の突起は、前記ごみ貯蔵カセットの前記外壁に対して取り外し可能に取り付けられるフランジを形成する請求項１または請求項２に記載のごみ貯蔵カセット。
【請求項４】
前記複数の突起は、前記内壁直前の末端部と前記外壁直前の外側端部を有し、前記末端部は前記外側端部に対して引き上げられている請求項１ないし請求項３のいずれか1項に記載のごみ貯蔵カセット。
【請求項５】
前記複数の突起の少なくとも1つは、前記ごみ貯蔵カセットの前記内壁に到達するように延在している請求項１ないし請求項４のいずれか1項に記載のごみ貯蔵カセット。
【請求項６】
前記複数の突起の少なくとも1つは、前記ごみ貯蔵カセットの前記内壁に到達するように延在していない請求項５に記載のごみ貯蔵カセット。
【請求項７】
ごみ貯蔵カセットを受け入れる小室および請求項１ないし請求項６のいずれか1項に記載のごみ貯蔵カセットを含むごみ貯蔵機器。
【請求項８】
ごみ貯蔵容器内への包まれたごみの通路のための喉部と、そこにしっかりと据え付けられているピストンを含むカバーと、をさらに備え、前記ピストンは、少なくとも部分的に前記喉部内に延在するために前記カバー内で移動可能である、請求項７に記載のごみ貯蔵機器。
【請求項９】
前記ピストンは、前記喉部の方向に向かって先細になっている、請求項８に記載のごみ貯蔵機器。
【請求項１０】
前記カバーは、開閉可能な蓋を含む、請求項８または請求項９に記載のごみ貯蔵機器。
【請求項１１】
前記ピストンは、前記蓋に固定されている、請求項１０に記載のごみ貯蔵機器。
【請求項１２】
前記ピストンは、前記喉部から離れた方向にバイアスされている請求項８ないし請求項１１のいずれか１項に記載のごみ貯蔵機器。
【請求項１３】
前記ピストンは、使用の際、測定された量の柔軟な袋織りをごみ貯蔵カセットから分配するように配置されている、請求項８ないし請求項１２のいずれか１項に記載のごみ貯蔵機器。
【請求項１４】
前記ピストンは、使用の際、以前に形成されたごみパッケージを、前記ごみ貯蔵機器のごみ貯蔵コンパートメントに向かって促すように配置されている、請求項８ないし請求項１３のいずれか１項に記載のごみ貯蔵機器。
【請求項１５】
前記ごみ貯蔵カセットを受け入れる小室の底面にあるフックをさらに備える請求項７ないし請求項１４のいずれか１項に記載のごみ貯蔵機器。
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
ヒトの皮膚に局所投与するための薬剤組成物であって、
(i)治療有効量の少なくとも1つのビスホスホネートと、
(ii)非刺激性の量の少なくとも1つのモイスチャライザー、好ましくはグリセリンと、
(iii)エタノール、n-プロパノール、イソプロパノール、n-ブタノール、tert-ブタノール、、およびイソブタノールから選択される、0〜12％の少なくとも1つの短鎖の脂肪族アルコールと、
(iv)少なくとも１つのゲル化剤と、
(v)任意選択で、少なくとも1つの界面活性剤と、
(vi)水と
を含み、
安定な、肉眼的に均一な混合物であり、
4.0と8.5の間のpHを有し、
非密封性であり、非フィルム形成性である
薬剤組成物。
【請求項２】
ヒトの皮膚に局所投与するための薬剤組成物であって、
(i)0.05〜7.5％の少なくとも1つのビスホスホネートと、
(ii) 0.05〜12％の少なくとも1つのモイスチャライザー、好ましくはグリセリンと、
(iii)エタノール、n-プロパノール、イソプロパノール、n-ブタノール、tert-ブタノール、およびイソブタノールから選択される、0〜12％の少なくとも1つの短鎖の脂肪族アルコールと、
(iv) 0.02〜5％の少なくとも１つのゲル化剤と、
(v) 0〜5％の界面活性剤と、
残部の水と
を含み、
安定な、肉眼的に均一な混合物であり、
4.0と8.5の間のpHを有し、
非密封性であり、非フィルム形成性である
薬剤組成物。
【請求項３】
エタノール、n-プロパノール、イソプロパノール、n-ブタノール、tert-ブタノール、およびイソブタノールから選択されるいかなる短鎖の脂肪族アルコールも含まない、請求項１または２に記載の薬剤組成物。
【請求項４】
前記ビスホスホネートは、アレンドロネートおよびリセドロネートから選択される、請求項1から3のいずれか一項に記載の薬剤組成物。
【請求項５】
前記モイスチャライザーは、尿素、プロピレングリコール、グリセリン、およびこれらの混合物からなる群から選択される、請求項1から4のいずれか一項に記載の薬剤組成物。
【請求項６】
0.2-1.5％(w/w)の少なくとも１つのゲル化剤を含む、請求項1から5のいずれか一項に記載の薬剤組成物。
【請求項７】
前記ゲル化剤は、ポリアクリル酸ポリマー、セルロース誘導体、およびこれらの混合物からなる群から選択される、請求項1から6のいずれか一項に記載の薬剤組成物。
【請求項８】
骨関連障害を治療するための、請求項１から7のいずれか一項に記載の薬剤組成物。
【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
Ｘ線を受け入れおよび方向付けをする、湾曲した単色化回折性光学系において、
Ｘ線を受け入れるための単一の連続したプレーナ上層を含み、各々が類似の材料組成および異なる結晶方位に従った個々の回折効果を有する少なくとも２つの結晶層
を備えたことを特徴とする単色化回折性光学系。
【請求項２】
前記層は、絶縁物上に材料を接合する技術を用いて張り合わされることを特徴とする請求項１に記載の光学系。
【請求項３】
前記層はシリコンであり、シリコン・オン・インシュレータ接合技術を用いて張り合わされることを特徴とする請求項２に記載の光学系。
【請求項４】
前記層は、接着剤技術を用いて張り合わされることを特徴とする請求項１に記載の光学系。
【請求項５】
前記光学系は、２重に湾曲した、点焦点の、単色化光学系であって、各層はその結晶方位にしたがったＸ線回折性を示すことを特徴とする請求項３に記載の光学系。
【請求項６】
前記光学系は、２重に湾曲した、点焦点の、単色化光学系であることを特徴とする請求項１に記載の光学系。
【請求項７】
各層は、その結晶方位に従ってＸ線回折性を示すことを特徴とする請求項１に記載の光学系。
【請求項８】
Ｘ線を受け入れおよび方向付けをする、湾曲した単色化回折性光学系において、
Ｘ線を受け入れるための単一の連続したプレーナ上層を含み、各々が異なる材料組成および異なる結晶方位に従った個々の回折効果を有する少なくとも２つの結晶層
を備えたことを特徴とする単色化回折性光学系。
【請求項９】
前記層は、絶縁物上に材料を接合する技術を用いて張り合わされることを特徴とする請求項８に記載の光学系。
【請求項１０】
前記層の少なくとも１つはシリコンであり、シリコン・オン・インシュレータ接合技術を用いて前記光学系の中で張り合わされることを特徴とする請求項９に記載の光学系。
【請求項１１】
前記層は、接着剤技術を用いて張り合わされることを特徴とする請求項８に記載の光学系。
【請求項１２】
前記光学系は、２重に湾曲した、点焦点の、単色化光学系であることを特徴とする請求項８に記載の光学系。
【請求項１３】
各層は、その結晶方位に従ってＸ線回折性を示すことを特徴とする請求項８に記載の光学系。
【請求項１４】
Ｘ線を受け入れおよび方向付けをする、湾曲した単色化回折性光学系において、
Ｘ線を受け入れるための単一の連続したプレーナ上層を含み、各々が異なる材料組成を有しならびに類似のもしくは異なる結晶方位に従った個々の回折効果を有する少なくとも２つの平面の結晶層
を備えたことを特徴とする単色化回折性光学系。
【請求項１５】
前記層は、絶縁物上に材料を接合する技術を用いて張り合わされることを特徴とする請求項１４に記載の光学系。
【請求項１６】
前記層は、接着剤技術を用いて張り合わされることを特徴とする請求項１４に記載の光学系。
【請求項１７】
前記光学系は、２重に湾曲した、点焦点の、単色化光学系であることを特徴とする請求項１４に記載の光学系。
【請求項１８】
各層は、その結晶方位に従ってＸ線回折性を示すことを特徴とする請求項１４に記載の光学系。
【請求項１９】
Ｘ線を受け入れおよび方向付けをする、湾曲した単色化回折性光学系を形成する方法において、
絶縁物上に材料を接合する技術を用いて、Ｘ線を受け入れるための単一の連続したプレーナ上層を含み、各々が所定の結晶方位ならびに類似のもしく異なる材料組成に従った個々の回折効果を有する少なくとも２つの層を張り合わせるステップと、
前記少なくとも２つの張り合わされた層を、湾曲した単色化回折性光学系に形成するステップと
を備えることを特徴とする方法。
【請求項２０】
鋳型を用いて前記少なくとも２つの層を湾曲した光学系に形成するステップをさらに備えることを特徴とする請求項１９に記載の方法。
【請求項２１】
前記湾曲した光学系は、２重に湾曲した、点焦点の、単色化光学系であることを特徴とする請求項１９に記載の方法。
【請求項２２】
Ｘ線を受け入れおよび方向付けをする、湾曲した単色化回折性光学系を形成する方法において、
接着剤接合技術を用いて、Ｘ線を受け入れるための単一の連続したプレーナ上層を含み、各々が所定の結晶方位ならびに類似のもしくは異なる材料組成に従った個々の回折効果を有する少なくとも２つの材料層を張り合わせるステップと、
前記少なくとも２つの張り合わされた層を、湾曲した、単色化回折性光学系に形成するステップと
を備えることを特徴とする方法。
【請求項２３】
鋳型を用いて、前記少なくとも２つの張り合わせた層を湾曲した光学系に形成するステップをさらに備えることを特徴とする請求項２２に記載の方法。
【請求項２４】
前記湾曲した光学系は、２重に湾曲した、点焦点の、単色化光学系であることを特徴とする請求項２２に記載の方法。
【請求項２５】
前記光学系は、２重に湾曲した、点焦点の、単色化光学系であって、各層は、その結晶方位に従ってＸ線回折性を示すことを特徴とする請求項１０に記載の光学系。
【請求項２６】
前記光学系は、２重に湾曲した、点焦点の、単色化光学系であって、各層は、その結晶方位に従ってＸ線回折性を示すことを特徴とする請求項１５に記載の光学系。
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
生体試料中の複数の標的をプローブする方法であって：
（a）複数の標的を含有する生体試料を提供する工程；
（b）試料中に存在する1以上の標的へ少なくとも1つの蛍光プローブを結合させる工程；
（c）試料中に存在する1以上の標的へ少なくとも1つの対照プローブを結合させる工程；
（d）工程（b）において結合した蛍光プローブからのシグナルと工程（c）において結合した対照プローブからの対照シグナルを観測する工程；
（e）その蛍光プローブを選択的に不活性化して対照プローブは不活性化しない酸化剤を含んでなる溶液を工程（d）の試料へ適用する工程；
（f）工程（e）の試料中に存在する1以上の標的へ少なくとも1つの蛍光プローブを結合させる工程；並びに
（g）工程（f）において結合した蛍光プローブからのシグナルを観測する工程
を含んでなる、前記方法。
【請求項２】
工程（d）における溶液が塩基性溶液である、請求項1の方法。
【請求項３】
対照プローブの約20％より多くを不活性化せずに酸化工程を実施する、請求項1または2の方法。
【請求項４】
蛍光プローブが結合剤と蛍光シグナルジェネレータを含む、請求項1〜3のいずれか1項の方法。
【請求項５】
蛍光シグナルジェネレータがシアニン色素を含む、請求項1〜4のいずれか1項の方法。
【請求項６】
工程（e）〜（g）を1回以上繰り返す、請求項1〜5のいずれか1項の方法。
【請求項７】
工程（b）における蛍光シグナル〜3のいずれか1項ジェネレータが工程（e）における蛍光シグナルジェネレータと同じである、請求項1〜6のいずれか1項の方法。
【請求項８】
工程（b）における蛍光シグナルジェネレータが工程（e）における蛍光シグナルジェネレータとは異なる、請求項1〜7のいずれか1項の方法。
【請求項９】
生体試料中の複数の標的をプローブする方法であって：
（a）複数の標的を含有する生体試料を提供する工程；
（b）試料中に存在する1以上の標的へ少なくとも1つの蛍光プローブを結合させる工程；
（c）試料中に存在する1以上の標的へ少なくとも1つの対照プローブを結合させる工程；
（d）工程（b）において結合した蛍光プローブからのシグナルと工程（c）において結合した対照プローブからの対照シグナルを観測する工程；
（e）その蛍光プローブを選択的に不活性化して対照プローブは不活性化しない酸化剤を含んでなる塩基性溶液を工程（d）の試料へ適用する工程；
（f）工程（e）の試料中に存在する1以上の標的へ少なくとも1つの蛍光プローブを結合させる工程；
（g）工程（f）において結合した蛍光プローブからのシグナルを観測する工程；並びに
（h）試料中の少なくとも2つの標的を同時定位する工程
を含んでなる、前記方法。
【請求項１０】
対照プローブが形態染色剤を含む、請求項9に記載の方法。